(57)【要約】【課題】エアコンモードが選択されていないときに斜板の傾斜角度を最小（最低容量）位置に保持すると共に、その最小位置からの復帰を小さな消費電力で行うことが可能な斜板式容量可変圧縮機を提供する。【解決手段】  回転側の駆動軸Ｓの回転を斜板２６によってピストン２９の往復動に変換すると共に、前記斜板２６の傾斜角度を変更することにより冷媒の吐出容量の変更が可能となっており、前記斜板２６を最低容量位置側に付勢する付勢手段５１を備えている。前記回転側に永久磁石４１を設け、固定側における前記永久磁石４１と対向した位置に電磁石４５を設け、前記電磁石４５への通電によって前記斜板２６の傾斜角度を大きくする方向へ付勢する磁力を発生させる。【選択図】図１
2009174506.tif 000002
【特許請求の範囲】
【請求項１】
回転側の駆動軸（Ｓ）の回転を斜板（２６）によってピストン（２９）の往復動に変換すると共に、前記斜板（２６）の傾斜角度を変更することにより冷媒の吐出容量の変更が可能となっており、前記斜板（２６）を最低容量位置側に付勢する付勢手段（５１）を備えた斜板式容量可変圧縮機（１）であって、
前記回転側に永久磁石（４１）を設け、固定側における前記永久磁石（４１）と対向した位置に電磁石（４５）を設け、前記電磁石（４５）への通電によって前記斜板（２６）の傾斜角度を大きくする方向へ付勢する磁力を発生させることを特徴とする斜板式容量可変圧縮機（１）。
【請求項２】
請求項１記載の斜板式容量可変圧縮機（１）であって、
前記永久磁石（４１）及び電磁石（４５）は、前記斜板（２６）が傾斜角度の最小位置に位置する状態で対向配置されていることを特徴とする斜板式容量可変圧縮機（１）。
【発明の詳細な説明】
【技術分野】
【０００１】
本発明は、車両用空調装置等の冷凍サイクルに介装されて該冷凍サイクル内で気化した冷媒を断熱圧縮する圧縮機に関し、クランク室内の圧力を調整することにより斜板の傾斜角を変更して冷媒の吐出容量を変更可能な斜板式容量可変圧縮機に関する。
【背景技術】
【０００２】
斜板式可変容量圧縮機としては、斜板が駆動軸と一体的に回転するスワッシュ式の斜板式可変容量圧縮機と、斜板が非回転で揺動するウォッブルプレート式の斜板式可変容量圧縮機とがある。
【０００３】
これらの圧縮機では、シリンダボアを有するシリンダブロックの前端面に、フロントハウジングを接合してクランク室を形成すると共に、前記シリンダブロックの後端面に、バルブプレートを介してリアハウジングを接合して吸入室および吐出室を形成し、前記クランク室内に軸支した駆動軸の回転を斜板によって前記シリンダボア内のピストンの往復動に変換することで、吸入室の冷媒ガスをシリンダボアに吸入して圧縮し、吐出室へ吐出している。冷媒の吐出容量の制御は、コントロールバルブの作動によりクランク室の圧力を制御して、斜板の傾斜角度を変化させることで行われる。
【０００４】
この種の圧縮機では、エアコンＯＦＦ時に斜板の傾斜角を最小容量比（０％〜３％程度）にすることで、車両の省燃費運転を実現するようになっている。つまり、斜板の傾斜角を最小容量比（０％〜３％程度）にすることで、エンジンの駆動軸と連動する圧縮機の駆動軸に加わるトルクを最小限に抑えるものである。
【０００５】
しかしながら、この種の圧縮機では、容量変更命令信号に基づいてコントロールバルブで給気通路を開閉制御しても、クランク室の圧力は直ちに変更できるものではなく、クランク室が求める圧力になるまでにはタイムラグがある。そのため、エアコンＯＦＦ時などに最小容量運転命令信号を指令しても、求める圧力に至るまでのレスポンスが遅い分だけ、圧縮機が無駄に仕事をしてしまう。
【０００６】
これに対し、特許文献１には、斜板に左右から作用する復帰バネのバネ力の均衡位置を一定（例えば、３％程度）の吐出容量が得られるように調整すると共に、斜板の傾斜角度を最低容量位置に付勢する電磁コイルを設けた圧縮機が記載されている。この圧縮機では、エアコンモードが選択されていないエアコンＯＦＦ時に、電磁コイルに通電することにより斜板を最小傾斜角度（最低容量位置）に保持して車両の省燃費運転を可能とする一方、エアコンモードが選択されたときには、電磁コイルへの通電を止め、復帰バネのバネ力によって斜板を傾斜角度が大きくなる方向に移動させている。これにより、エアコンＯＦＦ時などに斜板の傾斜角度を素早く最小にして省燃費運転を行うものである。
【特許文献１】特開２００４−２３２５８１
【発明の開示】
【発明が解決しようとする課題】
【０００７】
しかしながら、特許文献１の圧縮機においては、エアコンモードが選択されていない間は、常に電磁コイルに通電する必要があるため、消費電力が大きくなるという問題がある。
【０００８】
そこで、本発明は、エアコンモードが選択されていないときに斜板の傾斜角度を最小（最低容量）位置に保持すると共に、その最小位置からの復帰を小さな消費電力で行うことが可能な斜板式容量可変圧縮機を提供することを目的とする。
【課題を解決するための手段】
【０００９】
上記目的を達成する請求項１の発明は、回転側の駆動軸の回転を斜板によってピストンの往復動に変換すると共に、前記斜板の傾斜角度を変更することにより冷媒の吐出容量の変更が可能となっており、前記斜板を最低容量位置側に付勢する付勢手段を備えた斜板式容量可変圧縮機であって、前記回転側に永久磁石を設け、固定側における前記永久磁石と対向した位置に電磁石を設け、前記電磁石への通電によって前記斜板の傾斜角度を大きくする方向へ付勢する磁力を発生させることを特徴とする斜板式容量可変圧縮機である。
【００１０】
請求項２の発明は、請求項１記載の斜板式容量可変圧縮機であって、前記永久磁石及び電磁石は、前記斜板が傾斜角度の最小位置に位置する状態となるように対向した位置に配置されていることを特徴とする斜板式容量可変圧縮機である。
【発明の効果】
【００１１】
請求項１の発明によれば、付勢手段の付勢力によって斜板が最小傾斜角度（最低容量）位置に保持され、電磁石に通電することにより斜板が付勢手段の付勢力に抗して傾斜角度の増大方向に移動するため、斜板の最小傾斜角度位置での保持及びその位置からの復帰を小さな消費電力で行うことができる。
【００１２】
請求項２の発明によれば、請求項１の発明の効果に加えて、斜板の復帰に対して電磁石の磁力を効率良く作用させることができる。
【発明を実施するための最良の形態】
【００１３】
以下、本発明の実施の形態を図面に基づいて説明する。
【００１４】
図１及び図２は、本発明の一実施の形態を示し、図１は斜板が最大傾斜角度に位置した状態の断面図、図２は斜板が最小傾斜角度に位置している状態の断面図である。
【００１５】
圧縮機１はクラッチレス圧縮機である。このクラッチレス圧縮機は、車両のエンジンルームに配置されエンジンの駆動軸の回転力を利用して移動する車両空調装置用の圧縮機であり、車両用空調装置の冷却サイクルに介装されて冷凍サイクルで冷媒ガスを断熱圧縮する。
【００１６】
この実施の形態の圧縮機１は、スワッシュプレート式の斜板式可変容量圧縮機である。圧縮機１は、円周方向に複数の等間隔に配置されたシリンダボア３を有するシリンダブロック２と、該シリンダブロック２の前端面に接合され該シリンダブロック２との間にクランク室５を形成するフロントハウジング４と、シリンダブロック２の後端面にバルブプレート９を介して接合され吸入室７および吐出室８を形成するリアハウジング６と、を備えている。これらシリンダブロック２とフロントハウジング４とリアハウジング６とは、複数のスルーボルトＢによって締結固定される。
【００１７】
バルブプレート９は、シリンダボア３と吸入室７とを連通する吸入孔１１と、シリンダボア３と吐出室８とを連通する吐出孔１２と、を備えている。
【００１８】
バルブプレート９のシリンダブロック２側には、吸入孔１１を開閉する図示せぬ弁機構が設けられ、一方、バルブプレート９のリアハウジング６側には、吐出孔１２を開閉する図示せぬ弁機構が設けられている。バルブプレート９とリアハウジング６、バルブプレート９とシリンダブロック２との間にはそれぞれガスケットが介在し、吸入室７と吐出室８の密閉性を保持し、圧縮機１外への冷媒漏れを防止している。
【００１９】
シリンダブロック２およびフロントハウジング４の中心の支持孔１９、２０には軸受を介して駆動軸Ｓが軸支され、この駆動軸Ｓがクランク室５内で回転自在となっている。駆動軸Ｓの前端はフロントハウジング４から外部へ突出しており、この突出端にはプーリが固定されている。プーリはベルトを介して車両エンジンと連結され、エンジンの回転をクラッチレスで駆動軸Ｓに伝える。
【００２０】
クランク室５内には、駆動軸Ｓに固設したドライブプレート２１と、駆動軸Ｓに摺動自在に嵌装したスリーブ２２と、スリーブ２２に図示せぬピンにより揺動自在に連結したジャーナル２４と、ジャーナル２４のボス部２５に装着したスワッシュプレート（斜板）２６とが設けられている。スリーブ２２、ジャーナル２４及びスワッシュプレート２６は駆動軸Ｓと共に回転し、駆動軸Ｓと共に回転側になっている。つまり、駆動軸Ｓの回転によりジャーナル２４が回転すると、スワッシュプレート２６はジャーナル２４の回転揺動に伴って回転揺動するようになっている。
【００２１】
スワッシュプレート２６の傾斜角は、図２に示すように、スリーブ２２がシリンダブロック２側に近接移動するとスワッシュプレート２６の傾斜角が減少する。一方、図１に示すようにスリーブ２２がシリンダブロック２から離れる方向に移動するとスワッシュプレート２６の傾斜角が増大する。ここで、スリーブ２２がシリンダブロック２から離間している際には、他方の復帰バネ５１が縮んでいるのでこの復帰バネ５１の弾性復元力によりスリーブ２２が中立位置にむけて復帰しやすくなっている。
【００２２】
なお、ドライブプレート２１とジャーナル２４とは、そのヒンジアーム２１ｈ、２４ｈが弧状の長孔２７とピン２８とを介して連結されており、これによりスワッシュプレート２６の最小傾斜角度が規制されている。また、ドライブプレート２１とジャーナル２４とが当接することによりスワッシュプレート２６の最大傾斜角度が規制されている。
【００２３】
各シリンダボア３に収容されたピストン２９は、シュー３０を介してスワッシュプレート２６に連結されていて、スワッシュプレート２６の揺動によって往復運動する。圧縮機１の基本機能は、このピストン２９のピストン運動により、吸入室７→バルブプレート９の吸入孔１１→シリンダボア３へと吸入した冷媒を圧縮し、シリンダボア３→バルブプレート９の吐出孔１２→吐出室８へと吐出するものである。吐出容量を可変とするために、クランク室５と吸入室７とを常時連通する図示せぬ抽気通路と、クランク室５と吐出室８とを連通する図示せぬ給気通路と、該給気通路を開閉するコントロールバルブ３３とが設けられている。
【００２４】
コントロールバルブ３３は電磁式であり、例えば外気温度，室内温度，日射量などの入力信号に基づいて生成される図示せぬオートアンプからの容量変更命令信号によりコントロールバルブ３３の電磁コイルに磁力を発生させることで、給気通路を開閉する弁体の開度が調整される。そして、コントロールバルブ３３の開閉によりクランク室５内の圧力を変えると、該クランク室５と吸入室７との圧力バランス（ピストン２９の前後の圧力バランス）よりスワッシュプレート２６の傾角が変化して、つまり、ピストンストロークが変化して、圧縮機１の吐出容量が変わる。
【００２５】
この実施の形態の圧縮機１では、回転側であるジャーナル２４に永久磁石４１を設けている。永久磁石４１はジャーナル２４のボス部２５におけるシリンダブロック２側の端部に位置している。これに対し、固定側であるシリンダブロック２には電磁石４５を設けている。電磁石４５はシリンダブロック２における支持孔１９の形成部位の端部に配置されており、電磁石４５は永久磁石４１と対向している。電磁石４５に通電すると、電磁石４５は永久磁石４１の磁力と反発する磁力を発生するように制御されている。この場合、永久磁石４１及び電磁石４５は駆動軸Ｓの周囲に１周にわたって設けられるものである。又、この実施の形態において、永久磁石４１及び電磁石４５はスワッシュプレート２６が最小の傾斜角度の状態となるような位置で対向配置されている。このように配置することにより電磁石４５の磁力を効率良く作用させることができる。
【００２６】
エアコンのＯＦＦなどによって最小容量運転命令がオートアンプからあると、電磁石４５は通電されることなく消磁された状態となる。この電磁石４５への非通電は通常運転などの容量変更命令があるまで継続する。この間、左右の復帰バネ５１のばね力及びクランク室とシリンダボア室圧力の均衡によって最低容量位置に付勢されるため、スワッシュプレート２６は最小容量位置、すなわち最小傾斜角度に保持される（図２参照）。
【００２７】
エアコンを通常運転するために容量変更命令があると、電磁石４５に通電されて磁力が発生する。この磁力は永久磁石４１の磁力と反発した磁力であり、永久磁石４１と電磁石４５とが離れる斤力が生じる。これにより、スリーブ２２がシリンダブロックから離間し、ジャーナル２４の傾斜が大きくなり、スワッシュプレート２６の傾斜角度が増大する（図１参照）。このため、冷媒の吐出容量を大きくすることができる。
【００２８】
以上のように構成された圧縮機１は、以下のように容量制御が行われる。
【００２９】
冷凍サイクルの熱負荷が大きい場合には、オートアンプは必要とする冷房能力は大きいと判断し、コントロールバルブ３３の電磁コイルに流す電流値またはデューティー比を大きくする信号を出力する。この信号に伴いコントロールバルブ３３の弁体は閉弁方向に移動し、この結果、ピストン２９によって圧縮された高圧冷媒（吐出圧力Ｐｄ）はクランク室５に導入されず、常時連通路となっている抽気通路を通じてクランク室５内から吸入室７に除々に流れ出る冷媒によって、次第にクランク室圧Ｐｃと吸入室圧Ｐｓとが均衡していく。
【００３０】
クランク室圧Ｐｃと吸入室圧Ｐｓとが等しくなると、スワッシュプレート２６に働くモーメント力によりスワッシュプレート２６の傾斜角が最大になり、圧縮ストロークが最大となる。従って、この状態で圧縮すると、吐出冷媒量の増加により、冷凍サイクル内を循環する冷媒循環量が増加して、大きい熱負荷に応じた適正な冷媒量となる。
【００３１】
一方、冷凍サイクルにおける熱負荷が小さい場合には、オートアンプは冷房能力は小さくてもよいと判断し、コントロールバルブ３３の電磁コイルに流す電流値またはデューティー比を小さくする信号を出力する。この信号に伴いコントロールバルブ３３の弁体が開弁方向に移動する。この結果、ピストン２９によって圧縮された高圧冷媒（吐出圧力Ｐｄ）の一部が吐出室８から給気通路を通ってクランク室に導入され、クランク室の内部圧力（クランク室圧Ｐｃ）が高められる。クランク室圧Ｐｃが吸入室圧Ｐｓよりも少しでも大きくなると、スワッシュプレート２６の傾斜角が減少して、圧縮ストロークが短くなり、吐出冷媒量の減少により、冷凍サイクル内を循環する冷媒循環量が減少して、低い熱負荷に応じた適正な冷媒量となる。
【００３２】
ここで、図示せぬ制御手段で、エアコンがＯＦＦされた場合や、圧縮機の省動力運転が必要と判断された場合（例えば車両の急加速時などで圧縮機の省動力運転が必要とされた場合）には、最小容量運転命令信号が生成される。この最小容量運転命令信号によって、コントロールバルブ３３のデューティー比または電流値が最小になるように制御され、これによって、除々にクランク室５の圧力が上昇して圧縮ストロークが最小に移行するようになる。
【００３３】
圧縮ストロークが最小に移行するときには、スワッシュプレート２６は傾斜角度が小さくなる方向に傾いていき最小傾斜角度で保持される。このとき電磁石４５に通電されることはない。
【００３４】
この状態からエアコンが通常運転に移行するときは、電磁石４５に通電され、復帰バネ５１の付勢力に抗してスワッシュプレート２６が傾斜角度の増大方向に移動する。このように、最小傾斜角度（最低容量位置）では復帰バネ５１のバネ力及びクランク室とシリンダボア室圧力の付勢力でスワッシュプレート２６が保持され、最小傾斜角度位置から通常運転に復帰する際にだけ電磁石４５に通電するため、消費電力を小さくすることができる。
【００３５】
上記実施の形態では、永久磁石４１をジャーナル２４の端面に設け、電磁石４５をシリンダブロック２の対向位置に設けているが、永久磁石４１をジャーナル２４のピン２８に設け、電磁石４５をドライブプレート２１の長孔２７内の対向位置に設けても良い。又、スワッシュプレート２６を反発力によって最大傾斜角度方向に移動させているが、吸引力によって移動させても良い。さらに、本発明は、クラッチレス圧縮機以外の斜板式容量圧縮機にも同様に適用することができる。
【図面の簡単な説明】
【００３６】
【図１】本発明の一実施形態の圧縮機における斜板が最大傾斜角度に位置した状態の断面図である。
【図２】斜板が最小傾斜位置に位置した状態の断面図である。
【符号の説明】
【００３７】
１  圧縮機
２  シリンダブロック
３  シリンダボア
４  フロントハウジング
５  クランク室
７  吸入室
８  吐出室
２２  スリーブ
２４  ジャーナル
４１  永久磁石
４５  電磁石
５１  復帰バネ
Ｓ  駆動軸
【図１】
2009174506.tif 000003
【図２】
2009174506.tif 000004